(57)【要約】【課題】限られた表示領域であっても、より多くの情報をユーザに迅速に把握させることができる表示装置を提供すること。【解決手段】複数のエラーの発生時に表示される省略表示画面１６０における省略形の表示により、ユーザは発生した複数のエラーを視認することができる。そして、同時に、省略形の元であるエラータイトルを視認することができる。その結果、限られた表示領域であっても、ユーザは迅速に多くの情報を把握することができる。また、ユーザから符号が入力されたことを条件として、入力された符号に対応する省略形の詳細表示画面１６１が表示されるので、ユーザは、迅速かつ容易に、エラーの内容およびそのエラーを解除するための操作情報を把握することができる。【選択図】図４
2008269568.tif 000002
【特許請求の範囲】
【請求項１】
所定の条件の成立を示す複数の表示情報を記憶する表示情報記憶手段と、
その表示情報記憶手段に記憶された表示情報の各々について、その省略形を記憶する省略形記憶手段と、
複数の条件の成立が検出された場合、その複数の条件の成立を示す各表示情報と、その各表示情報に対応する各省略形とを表示領域に表示する第１表示手段とを備えたことを特徴とする表示装置。
【請求項２】
ユーザからの符号入力を受け付ける入力手段を備え、
前記第１表示手段は、前記省略形の各々に符号を対応付けて表示するものであり、
前記入力手段によりユーザから符号が入力されたことを条件として、前記第１表示手段による表示を消去し、入力された符号に対応する省略形に関する情報を前記表示領域に表示する第２表示手段を備えることを特徴とする請求項１記載の表示装置。
【請求項３】
前記第２表示手段による表示がされているときに、前記入力手段によりユーザから他の符号が入力されることを条件として、前記第２表示手段により表示される情報を、前記他の符号に対応する省略形に関する情報に切り換える表示切替手段を備えることを特徴とする請求項２記載の表示装置。
【請求項４】
前記第２表示手段による表示されているときにユーザが所定の操作を行うことを条件として、前記表示領域における表示を、前記第１表示手段による表示に切り換えることを特徴とする請求項２または３に記載の表示装置。
【請求項５】
前記表示情報は、発生したエラーの内容を示すものであり、
前記第２表示手段は、ユーザから入力された符号に対応する省略形の元である表示情報と、その表示情報により示されるエラーを解除するための操作情報とを前記表示領域に表示することを特徴とする請求項２から４のいずれかに記載の表示装置。
【請求項６】
前記第１表示手段は、前記表示領域を、前記省略形を表示する省略形領域と、前記表示情報を表示する表示情報領域とに分割して表示するものであり、
前記表示情報領域の表示をスクロールするスクロール手段を備えることを特徴とする請求項１から５のいずれかに記載の表示装置。
【請求項７】
所定の条件の成立を示す複数の表示情報を記憶する表示情報記憶手段と、
１の条件の成立が検出された場合、成立した条件に対応する表示情報を表示領域に表示し、複数の条件の成立が検出された場合、成立した条件に対応する表示情報に加えて、成立した条件の数を前記表示領域に表示する第３表示手段とを備えることを特徴とする表示装置。
【請求項８】
前記表示情報記憶手段に記憶された表示情報の各々について、その省略形を記憶する省略形記憶手段と、
複数の条件の成立が検出された場合、成立した複数の条件に対応する複数の省略形を構成する文字数に基づいて、前記第３表示手段による表示を実行するかを判断する判断手段と、
前記判断手段により、前記第３表示手段による表示を実行しないと判断された場合、前記複数の条件の成立を示す各表示情報と各表示情報に対応する各省略形とを前記表示領域に表示する第４表示手段を備えることを特徴とする請求項７記載の表示装置。
【発明の詳細な説明】
【技術分野】
【０００１】
本発明は表示装置に関し、特に、限られた表示領域であっても、より多くの情報をユーザに迅速に把握させることができる表示装置に関するものである。
【背景技術】
【０００２】
従来、ＬＣＤ表示部に省略形を一覧表示し、操作部においていずれかの省略形を選択すると、その選択した省略形の全文形を表示する技術が知られている（例えば、特許文献１参照）。なお、特許文献１によると、全文形が一画面に収まらないときは、その表示情報をスクロール表示する。
【特許文献１】特開２００６−１２６５０３号公報
【発明の開示】
【発明が解決しようとする課題】
【０００３】
しかしながら、特許文献１の技術によると、選択した省略形についてのみ、その全文形が表示されるため、ユーザ自身が表示されるすべての省略形の意味内容を知るためには、省略形の一つ一つを選択し、その全文形を表示していかなければならないという問題点があった。
【０００４】
そこで、本発明は、限られた表示領域であっても、より多くの情報をユーザに迅速に把握させることができる表示装置を提供することを目的としている。
【課題を解決するための手段】
【０００５】
この目的を達成するために、請求項１記載の表示装置は、所定の条件の成立を示す複数の表示情報を記憶する表示情報記憶手段と、その表示情報記憶手段に記憶された表示情報の各々について、その省略形を記憶する省略形記憶手段と、複数の条件の成立が検出された場合、その複数の条件の成立を示す各表示情報と、その各表示情報に対応する各省略形とを表示領域に表示する第１表示手段とを備えたことを特徴とする。
【０００６】
請求項２記載の表示装置は、請求項１記載の表示装置において、ユーザからの符号入力を受け付ける入力手段を備え、前記第１表示手段は、前記省略形の各々に符号を対応付けて表示するものであり、前記入力手段によりユーザから符号が入力されたことを条件として、前記第１表示手段による表示を消去し、入力された符号に対応する省略形に関する情報を前記表示領域に表示する第２表示手段を備えることを特徴とする。
【０００７】
請求項３記載の表示装置は、請求項２記載の表示装置において、前記第２表示手段による表示がされているときに、前記入力手段によりユーザから他の符号が入力されることを条件として、前記第２表示手段により表示される情報を、前記他の符号に対応する省略形に関する情報に切り換える表示切替手段を備えることを特徴とする。
【０００８】
請求項４記載の表示装置は、請求項２または３に記載の表示装置において、前記第２表示手段による表示されているときにユーザが所定の操作を行うことを条件として、前記表示領域における表示を、前記第１表示手段による表示に切り換えることを特徴とする。
【０００９】
請求項５記載の表示装置は、請求項２から４のいずれかに記載の表示装置において、前記表示情報は、発生したエラーの内容を示すものであり、前記第２表示手段は、ユーザから入力された符号に対応する省略形の元である表示情報と、その表示情報により示されるエラーを解除するための操作情報とを前記表示領域に表示することを特徴とする。
【００１０】
請求項６記載の表示装置は、請求項１から５のいずれかに記載の表示装置において、前記第１表示手段は、前記表示領域を、前記省略形を表示する省略形領域と、前記表示情報を表示する表示情報領域とに分割して表示するものであり、前記表示情報領域の表示をスクロールするスクロール手段を備えることを特徴とする。
【００１１】
請求項７記載の表示装置は、所定の条件の成立を示す複数の表示情報を記憶する表示情報記憶手段と、１の条件の成立が検出された場合、成立した条件に対応する表示情報を表示領域に表示し、複数の条件の成立が検出された場合、成立した条件に対応する表示情報に加えて、成立した条件の数を前記表示領域に表示する第３表示手段とを備えることを特徴とする。
【００１２】
請求項８記載の表示装置は、請求項７記載の表示装置において、前記表示情報記憶手段に記憶された表示情報の各々について、その省略形を記憶する省略形記憶手段と、複数の条件の成立が検出された場合、成立した複数の条件に対応する複数の省略形を構成する文字数に基づいて、前記第３表示手段による表示を実行するかを判断する判断手段と、前記判断手段により、前記第３表示手段による表示を実行しないと判断された場合、前記複数の条件の成立を示す各表示情報と各表示情報に対応する各省略形とを前記表示領域に表示する第４表示手段を備えることを特徴とする。
【発明の効果】
【００１３】
請求項１記載の表示装置によれば、表示情報記憶手段に、所定の条件の成立を示す複数の表示情報が記憶され、その表示情報記憶手段に記憶された表示情報の各々について、省略形記憶手段によりその省略形が記憶される。ここで、複数の条件の成立が検出された場合、その複数の条件の成立を示す各表示情報と、その各表示情報に対応する各省略形とが、第１表示手段により表示領域に表示される。よって、省略形の表示だけでは、表示内容を正確に把握できない場合であっても、表示画面を見たユーザは、その表示画面の表示領域を見るだけで、複数の条件の成立および各条件の成立を示す表示情報を視認することができる。その結果、限られた表示領域であっても、ユーザは迅速に多くの情報を把握することができるという効果がある。
【００１４】
請求項２記載の表示装置によれば、請求項１記載の表示装置の奏する効果に加え、第１表示手段により、省略形の各々に符号が対応付けて表示され、入力手段によりユーザから符号が入力されたことを条件として、第１表示手段による表示が消去され、入力された符号に対応する省略形に関する情報が表示領域に表示される。よって、ユーザは第１表示手段による表示から、省略形に対応する符号を把握することができると共に、その把握した符号を入力することで、迅速かつ容易に、必要な情報を表示領域に表示させることができるという効果がある。
【００１５】
請求項３記載の表示装置によれば、請求項２記載の表示装置の奏する効果に加え、第２表示手段による表示がされているときに、入力手段によりユーザから他の符号が入力されることを条件として、第２表示手段により表示される情報が、他の符号に対応する省略形に関する情報に切り換えられるので、迅速かつ容易に、必要な情報を表示領域に表示させることができるという効果がある。
【００１６】
請求項４記載の表示装置によれば、請求項２または３に記載の表示装置の奏する効果に加え、第２表示手段による表示がされているときにユーザが所定の操作を行うことを条件として、表示領域における表示を、第１表示手段による表示に切り換えるので、ユーザの操作が容易であるという効果がある。
【００１７】
請求項５記載の表示装置によれば、請求項２から４のいずれかに記載の表示装置の奏する効果に加え、表示情報は、発生したエラーの内容を示すものであり、第２表示手段により、ユーザから入力された符号に対応する省略形の元である表示情報と、その表示情報により示されるエラーを解除するための操作情報とが表示領域に表示される。よって、複数のエラーが発生している場合であっても、第１表示手段による省略形と、その省略形の元である表示情報とを視認することにより、ユーザは複数のエラーの内容を迅速かつ正確に把握することができるという効果がある。また、エラーを解除するための操作情報を、第２表示手段により迅速かつ容易に視認することができるという効果がある。そしてその結果、発生したエラーに対し、迅速かつ適切に対応することができる。
【００１８】
ここでエラーとは、表示装置が、自装置の有する機能を実行できない、あるいは十分に本来の機能を発揮することができない状態を意味しており、例えば、表示装置が、記録用紙に画像を形成するプリンタの場合には、例えば、記録用紙詰まりや記録用紙切れが発生していること、或いは、インクやトナー残量が所定量以下となったこと、或いは感光体やドラムユニットの交換時期となったことなどがエラーに該当する。
【００１９】
請求項６記載の表示装置によれば、請求項１から５のいずれかに記載の表示装置の奏する効果に加え、第１表示手段は、表示領域を、省略形を表示する省略形領域と、表示情報を表示する表示情報領域とに分割して表示するものであり、スクロール手段により、表示情報領域の表示がスクロールされるので、限られた表示領域に多くの表示情報を表示することができるという効果がある。さらに、省略形領域と表示情報領域とに分割して表示しているため、表示情報に対応する省略形を知っているユーザであれば、省略形領域を見るだけで成立している条件を把握することができる。よって、より迅速かつ容易に、必要な情報を表示領域に表示させることができる。
【００２０】
請求項７記載の表示装置によれば、複数の条件の成立が検出された場合、成立した条件に対応する表示情報に加えて、成立した条件の数が表示領域に表示されるので、限られた表示領域であっても、ユーザは迅速に多くの情報を把握することができるという効果がある。例えば、多数の条件が一度に成立したために、成立した条件のうち一部の条件についてしか表示情報を表示できない場合であっても、ユーザは、成立した条件の数を見れば、その数に基づいて適切な措置を把握し、または、表示領域内に表示されていない表示情報を予測することができる場合があるからである。
【００２１】
請求項８記載の表示装置によれば、請求項７記載の表示装置の奏する効果に加え、複数の条件の成立が検出された場合、成立した複数の条件に対応する複数の省略形を構成する文字数に基づいて、第３表示手段による表示を実行するかが判断され、第３表示手段による表示を実行しないと判断された場合、第４表示手段により、複数の条件の成立を示す各表示情報と各表示情報に対応する各省略形とが表示領域に表示されるので、省略形の文字数に適した形態の表示を実行することができるという効果がある。
【発明を実施するための最良の形態】
【００２２】
以下、本発明の好ましい実施形態について、添付図面を参照して説明する。図１は、本発明の第１実施形態である、表示装置の一例としての画像形成装置１を示した外観図である。図１に示すように、画像形成装置１は、略箱状体に形成された装置本体２と、装置本体２の開口部下側に設けられた給紙カセット３と、画像形成済みの記録用紙が排紙される排紙部４が設けられている。
【００２３】
装置本体２の上面には、操作パネル１４が配設されている。操作パネル１４の中央部分には、液晶ディスプレイ１６（以下、ＬＣＤ１６と称する）が配置されており、各種のメッセージ、例えば、印刷実行時における操作指令メッセージ、その各機能の必要に応じたメッセージ等を表示するとともに、後述するエラーメッセージを表示して、ユーザにエラーの発生を警告する。
【００２４】
このＬＣＤ１６の両側には、ユーザからの入力を受け付ける入力キー群１５が配設されている。入力キー群１５は、「０」から「９」の数値ボタンの他に、アスタリスクボタン、及び、シャープボタン等を有しているテンキー、操作停止などを入力するためのクリアキー、操作開始を入力するためのスタートキー、ＬＣＤ１６における表示のスクロールを指示するための方向キー等が配設されている。入力キー群１５を適宜操作することにより、画像形成装置１を操作することができる。
【００２５】
画像形成装置１は、画像形成ユニット２０と、画像形成ユニット２０で形成された画像を記録用紙に転写する転写装置２１と、記録用紙に転写された画像を加熱・加圧して記録用紙に定着させる定着装置２２（いずれも図２参照）とを有し、給紙された記録用紙に画像を形成する、いわゆるレーザプリンタで構成される。
【００２６】
図２を参照して、画像形成装置１の電気的構成について説明する。図２は、画像形成装置１の主な電気的構成を示すブロック図である。図２に示すように、画像形成装置１は、装置各部を統括制御する制御装置３０を有し、制御装置３０を構成するＡＳＩＣ３１は、画像形成ユニット２０、転写装置２１、定着装置２２、トナー残量センサ２３、廃トナー検出センサ２４、記録用紙センサ２５、パネルゲートアレイ１５ａ、ＬＣＤコントローラ１６ａにそれぞれ接続されている。
【００２７】
制御装置３０は、ＣＰＵ３２と、ＲＯＭ３３と、ＲＡＭ３４と、フラッシュメモリ３５と、ＡＳＩＣ３１と、ネットワークインターフェース(以下、ネットワークＩ／Ｆと称す）３８を有している。ＣＰＵ３２、ＲＯＭ３３、ＲＡＭ３４、フラッシュメモリ３５、およびネットワークＩ／Ｆ３８は、バスラインを介してそれぞれＡＳＩＣ３１と接続されている。
【００２８】
ＣＰＵ３２は、ＲＯＭ３３に記憶された各種プログラムを実行するマイクロプロセッサであり、ＲＯＭ３３は、ＣＰＵ３２により実行される各種プログラムや、そのプログラムを実行する際に参照する定数やテーブルを記憶する読み出し専用のメモリであり、表示情報記憶手段および省略形記憶手段の一例としてのエラー表示メモリ３３１が設けられている。なお、エラー表示メモリ３３１の詳細については、図３を参照して後述する。
【００２９】
ＲＡＭ３４は、ＣＰＵ３２が各種プログラムを実行する際、変数などを一時記憶するワークエリアを有するメモリである。フラッシュメモリ３５は、電源投入状態において、各種のデータを記憶するための書換可能なメモリであると共に、電源遮断後においても、その内容を保持可能なメモリである。
【００３０】
ＡＳＩＣ３１は、ＣＰＵ３２からの命令を変換して各部を駆動させる信号を出力すると共に、パネルＧＡ１５ａなどから出力される信号を変換し、その変換した信号をＣＰＵ３２へ出力する集積回路である。
【００３１】
画像形成ユニット２０は、感光体ドラム２０１、帯電器２０２、露光ユニット２０３、現像ユニット２０４を備える。感光体ドラム２０１は、その表面にトナー像を形成するドラムである。帯電器２０２は、感光ドラム２０１の表面を一様に正極性に帯電させる帯電器である。露光ユニット２０３は、感光体ドラム２０２の表面にレーザー光を照射するユニットであり、レーザー光を照射する各レーザー発振器（図示せず）等から構成されている。現像ユニット２０４は、感光体ドラム２０１にトナーを付着させるための現像ローラと、その現像ローラにトナーを付着させるための供給ローラとを備えている。
【００３２】
転写装置２１は、感光体ドラム２０１に担持されているトナー像を記録用紙に転写させるための転写ローラを備え、ＡＳＩＣ２６と接続されている。転写ローラに負の電圧をそれぞれ印加することにより、感光体ドラム２０１に担持されている正極性に帯電した各トナーを記録用紙にそれぞれ転写させることができる。
【００３３】
定着装置２２は、記録用紙に転写されたトナーに熱を与える加熱ローラと、その加熱ローラとの間に配設された記録用紙に圧力をかけるための押圧ローラとを備える。定着装置２２により記録用紙に転写されたトナーが定着される。
【００３４】
トナー残量センサ２３は、トナー残量を検出するためのセンサであって、ＬＥＤとフォトトランジスタとが設けられている。ＬＥＤの発光により出射される検出光は、光透過窓を通って図示しないトナー室の内部空間へ進入し、トナー室内のトナーが残り少ない場合には、検出光はトナーに遮られることなく反対側の光透過窓を通ってフォトトランジスタによって受光されるから、フォトトランジスタによる受光レベルが大きくなる。一方、トナー室内にトナーが満ちている場合には、出射された検出光がトナーによって遮られるからフォトトランジスタによる受光レベルが小さくなる。このように、トナー残量センサ２３によれば、受光素子の受光レベルの変化に基づいてトナーの残量が検出されるようになっている。このトナー残量センサ２３により検出されるトナー残量が所定の閾値以下となると、ＬＣＤ１６にエラー情報が表示され、トナーカートリッジの交換がユーザに促される。
【００３５】
廃トナー検出センサ２４は、クリーニングにより回収された廃トナーを収容するために、装置本体２内に設置された廃トナーボックス（図示せず）内に設けられ、廃トナーボックス内に収容されている廃トナー量を検出するためのセンサである。この廃トナー検出センサ２４により検出される廃トナー量が所定の閾値以上となると、ＬＣＤ１６にエラー情報が表示され、廃トナーボックスの交換がユーザに促される。
【００３６】
記録用紙センサ２５は、ローラなどに記録用紙が巻き付くことなどにより発生する記録用紙詰まり（ジャム）の発生を検出するためのセンサである。この記録用紙センサ２５により記録用紙詰まりの発生が検出されると、ＬＣＤ１６にエラー情報が表示され、記録用紙の除去がユーザに促される。
【００３７】
パネルＧＡ１５ａは、画像形成装置１に所望の指令を入力する入力キー群１５の制御を行うもので、ＡＳＩＣ３１と接続されると共に、入力キー群１５と接続される。パネルＧＡ１５ａは、入力キー群１５からの入力を検出して、ＡＳＩＣ３１に所定のコード信号を出力する。
【００３８】
ＬＣＤコントローラ１６ａは、画像形成装置１の動作に関する情報などをＬＣＤ１６に表示するためのコントローラである。ＬＣＤコントローラ１６ａは、ＡＳＩＣ３１に接続されると共に、ＬＣＤ１６に接続される。
【００３９】
ネットワークＩ／Ｆ３８は、通信を行うインターフェースで、ＡＳＩＣ３１に接続されると共に、ＰＣ１００と接続される。ネットワークＩ／Ｆ３８は、ＰＣ１００から入力された画像情報を変換し、変換した信号をＣＰＵ３２へ出力する。
【００４０】
図３を参照して、エラー表示メモリ３３１について説明する。図３は、エラー表示メモリ３３１の構成を模式的に示す図である。図３に示すように、エラー表示メモリ３３１は、画像形成装置１において発生し得るエラーの各々について、そのエラータイトル３３１１と、省略形３３１２と、操作情報３３１３とを記憶するメモリである。
【００４１】
エラータイトル３３１１は、エラーの内容を示す情報であり、表示情報の一例に相当する。省略形３３１２は、対応するエラータイトル３３１１を省略して示す情報である。操作情報２３１３は、エラーを解除するための操作方法を示す情報である。例えば、エラータイトル「Ｊａｍ  Ｉｎｓｉｄｅ（記録用紙詰まり）」に対しては、操作情報として「Ｏｐｅｎ  ｔｈｅ  Ｆｒｏｎｔ  Ｃｏｖｅｒ，ｐｕｌｌ  ｏｕｔ  ｔｈｅ  Ｄｒｕｍ  Ｃａｒｔｒｉｄｇｅ  ｃｏｍｐｌｅｔｅｌｙ  ａｎｄ  ｒｅｍｏｖｅ  ｔｈｅ  ｊａｍｍｅｄ  ｐａｐｅｒ．（記録紙がつまっています。フロントカバーを開けてドラムを引き出して詰まった紙を取り除いて下さい）」が対応付けられる。
【００４２】
また、エラータイトル「Ｔｏｎｅｒ  Ｌｉｆｅ  Ｅｎｄ（トナーが無くなりました）」に対しては、操作情報として「Ｒｅｐｌａｃｅ  ｔｈｅ  Ｔｏｎｅｒ  Ｃａｒｔｒｉｄｇｅ．（フロントカバーを開けて新しいトナーを取り付けて下さい）」が対応付けられる。また、エラータイトル「Ｗａｓｔｅ  Ｔｏｎｅｒ  Ｆｕｌｌ（廃トナーボックスが満杯です）」に対しては、操作情報として、「Ｒｅｐｌａｃｅ  ｔｈｅ  Ｗａｓｔｅ  Ｔｏｎｅｒ  Ｂｏｘ．Ｒｅｆｅｒ  ｔｏ  ｔｈｅ  Ｕｓｅｒ’ｓ  Ｇｕｉｄｅ  ｆｏｒ  ｈｏｗ  ｔｏ  ｄｏ  ｉｔ．（廃トナーパックを交換して下さい）」が対応付けられる。エラーの発生が検出されると、発生したエラーに関するエラー情報が、このエラー表示メモリ３３１から読み出され、ＬＣＤ１６に表示され、エラーの発生がユーザに警告される。
【００４３】
なお、図３においては、理解を容易にするために、３種類のエラーについてのみ、エラータイトル、省略形、操作情報を図示し説明したが、エラー表示メモリ３３１には、上述した３種類に限られず、より多種類のエラーに関する情報が格納されていても良い。
【００４４】
図４を参照して、ＬＣＤ１６に表示されるエラー情報について説明する。図４（ａ）は、複数のエラーの発生時にＬＣＤ１６に表示される省略表示画面１６０の一例を示す図である。図４（ａ）に示すように、省略表示画面１６０はエラー表示メモリ３３１（図３参照）から読み出されたエラー情報が表示される画面であって、ＬＣＤ１６の表示領域を、省略形３３１２が表示される上段の省略形領域１６０１と、エラータイトル３３１１が表示される下段の表示情報領域１６０２とに分割して表示する画面である。この省略表示画面１６０は、発生した複数エラーのエラータイトルと、そのエラータイトルに対応する省略形とを、ＬＣＤ１６の表示領域の略全面に表示する画面である。
【００４５】
図４（ａ）に示すように、省略形領域１６０１に表示される各々の省略形「ＪＩ」、「ＴＬＥ」、「ＷＴＦ」は、それぞれ文字数が少ないため、複数のエラーが発生した場合でも、発生したエラー全ての省略形を並べて一度に表示することができる。このようにすれば、限られた表示領域であっても、ユーザは、特別な操作を要さずに、発生した複数のエラーを瞬時に把握することができ、各エラーに対し適切な行動を迅速に取ることができる。また、その下段には、省略形の元であるエラータイトルが表示され、省略形と同時に視認することができるので、限られた表示領域であっても、ユーザは迅速に多くの情報を把握することができる。
【００４６】
ここで、表示情報領域１６０２に表示される各々のエラータイトルは、省略形に比較して文字数が多いため、複数のエラーが発生した場合には、その複数のエラータイトルの全てを一度に表示できない場合があり得る。本実施形態では、省略表示画面１６０がＬＣＤ１６に表示されているときに、入力キー群１５の方向キーから左右いずれかの方向が入力された場合、表示情報領域１６０２の表示を、その入力された方向にスクロールする。このようにすれば、限られた表示領域であっても、エラータイトルの全文を表示することができ、省略形の表示だけではエラーの内容を把握することができないユーザにとっては利便性が高い。また、スクロールがされるのは、下段の表示情報領域１６０２のみであるので、上段と下段が各々独立にスクロールされる場合に比較して、操作が単純となりユーザが操作しやすく、また画面を見易い。
【００４７】
また、図４（ａ）に示すように、表示情報領域１６０２には、少なくとも１つのエラータイトルの全文と、別の１つのエラータイトルの少なくとも一部とが表示される。エラータイトルの一部のみの表示から、ユーザがそのエラーの内容を把握できる場合があるため、そのような場合、ユーザは迅速に多くの情報を把握することができる。
【００４８】
図４（ｂ）は、複数エラーの発生時においてＬＣＤ１６に表示される画面の遷移を示す図である。まず、複数エラーの発生が検出された場合、ＬＣＤ１６には、省略表示画面１６０が表示される。これにより、ユーザは、発生しているエラーの数および発生しているエラーの省略形を視認することができる。エラーの省略形および下段に表示されているエラータイトルから、発生しているエラーを把握し、そのエラーを解除するための操作方法を即座に認識できるユーザには、この省略表示画面１６０の表示で十分である。一方、ユーザによっては、省略形からでは、発生しているエラーを把握できない場合、あるいは発生しているエラーを解除するための操作方法を判断できない場合がある。そのような場合、本実施形態では、ユーザからの操作に応じて、省略表示画面１６０を消去し、代わりに詳細表示画面１６１をＬＣＤ１６に表示することとする。
【００４９】
図４（ｂ）に示すように、まず最初にＬＣＤ１６に表示される省略表示画面１６０において、省略形には、それぞれ符号が対応付けて表示されている。例えば、省略表示画面１６０において、省略形「ＩＪ」には符号として「１」が対応付けられ、省略形「ＴＬＥ」には符号として「２」が対応付けられ、省略形「ＷＴＦ」には符号として「３」が対応付けられている。この符号がユーザから入力されることを条件として、その入力された符号に対応する省略形の詳細情報を、詳細表示画面１６１として表示する。
【００５０】
例えば、省略表示画面１６０が表示されている状態において、入力キー群１５から「１」が入力された場合、省略形「ＩＪ」に関する詳細表示画面１６１が表示される。また、入力キー群１５から「２」が入力された場合、省略形「ＴＬＥ」に関する詳細表示画面１６１が表示される。また、入力キー群１５から「３」が入力された場合、省略形「ＷＴＦ」に関する詳細表示画面１６１が表示される。
【００５１】
このようにすれば、ユーザは省略表示画面１６０において、省略形に対応する符号を把握することができると共に、その把握した符号を入力することで、迅速かつ容易に、必要な情報を表示領域に表示させることができる。
【００５２】
また、いずれかの詳細表示画面１６１が表示されているときに、他の符号が入力されると、その他の符号に対応する省略形の詳細表示画面１６１に切り換える。このようにすれば、複数のエラーの発生時においても、各々の詳細情報を迅速且つ容易に視認させることができる。
【００５３】
さらに、詳細表示画面１６１が表示されているときに、入力キー群１５のクリアキーが押下されることを条件として、ＬＣＤ１６における表示を、詳細表示画面１６１から省略表示画面１６０へ切り換える。このようにすれば、発生しているエラーの全てを再度確認したくなったとき、或いは、目的とする詳細表示画面１６１を表示されるための符号を知りたい場合、迅速且つ容易に、省略表示画面１６０へ戻ることができる。
【００５４】
また、図４（ｂ）に示すように、詳細表示画面１６１は、ＬＣＤ１６の表示領域を、エラータイトルが表示される上段のエラータイトル領域１６１１と、操作情報が表示される下段の操作情報領域１６１２とに分割して表示する画面である。操作情報領域１６１２に表示される操作情報は、エラータイトルに比較して文字数が多いため、操作情報の全てを一度に表示できない場合があり得る。本実施形態では、詳細表示画面１６１がＬＣＤ１６に表示されているときに、入力キー群１５の方向キーから左右いずれかの方向が入力された場合、操作情報領域１６１２の表示を、その入力された方向にスクロールする。このようにすれば、限られた表示領域であっても、操作情報の全文を表示することができ、利便性が高い。また、スクロールがされるのは、下段の操作情報領域１６１２のみであるので、上段と下段が各々独立にスクロールされる場合に比較して、操作が単純となりユーザが操作しやすく、画面を見易い。
【００５５】
なお、本実施形態では「符号」として、数字を用いているが、これに限定するものではない。入力キー群１５からユーザが選択して入力することができる情報であれば、他の記号や文字が「符号」として省略形に対応付けられても良い。
【００５６】
図５を参照して、画像形成装置１において実行される画面表示処理について説明する。図５は、画面表示処理を示すフローチャートである。
【００５７】
まず、エラーが発生していないことを示す待機画面をＬＣＤ１６に表示する（Ｓ２）。次に、エラーが存在するか否かを、トナー残量センサ２３、廃トナー検出センサ２４、記録用紙センサ２５（いずれも図２参照）から出力される信号や、エラーを検知するためのその他の信号に基づいて判断する（Ｓ４）。次に、発生が検出されたエラーが１つか否かを判断する（Ｓ６）。
【００５８】
検出されたエラーが１つの場合（Ｓ６：Ｙｅｓ）、発生したエラーのエラータイトルと操作情報とをエラー表示メモリ３３１から読み出し（Ｓ８）、詳細表示画面１６１（図４参照）を表示する（Ｓ１０）。すなわち、図４を参照して説明したように、詳細表示画面１６１は、ユーザから符号が入力されたときに、その符号に応じて表示される画面であるが、エラーが１つの場合は、ユーザからの符号入力の有無に拘わらず、この詳細表示画１６１面が表示される。このようにすれば、ユーザは特別な操作をせずに、必要な情報を得ることができる。次に、エラーが解除されたか否かを、トナー残量センサ２３、廃トナー検出センサ２４、記録用紙センサ２５から出力される信号などに基づいて判断する（Ｓ１２）。
【００５９】
エラーが解除されていない場合（Ｓ１２：Ｎｏ）、次に、新規エラーが発生したか否かを、トナー残量センサ２３、廃トナー検出センサ２４、記録用紙センサ２５から出力される信号などに基づいて判断する（Ｓ１４）。新規エラーが発生した場合（Ｓ１４：Ｙｅｓ）、後述するＳ１７の処理に以降する。
【００６０】
一方、新規エラーの発生が検出されない場合（Ｓ１４：Ｎｏ）、次に、発生が検出されたエラーが１つか否かを判断する（Ｓ１６）。検出されたエラーが１つの場合（Ｓ１６：Ｙｅｓ）、Ｓ１０に戻り、詳細表示画面１６１の表示を継続する。このようにして処理を繰り返すうちに、エラーが解除された場合（Ｓ１２：Ｙｅｓ）、Ｓ４に戻り処理を繰り返す。
【００６１】
次に、エラーが存在し（Ｓ４：Ｙｅｓ）、且つエラーが２以上であると判断された場合（Ｓ６：Ｎｏ）について説明する。発生が検出されたエラーが２以上である場合（Ｓ６：Ｎｏ）、発生した各エラーの省略形と、エラータイトルとをエラー表示メモリ３３１から読み出し（Ｓ１７）、その読み出した省略形とエラータイトルとを含む省略表示画面１６０（図４参照）をＬＣＤ１６に表示する（Ｓ１８）。次に、エラーが解除されたかを判断する（Ｓ２０）。
【００６２】
そして、エラーが解除されていない場合（Ｓ２０：Ｎｏ）、次に、新規エラーが発生したか否かを、トナー残量センサ２３、廃トナー検出センサ２４、記録用紙センサ２５から出力される信号などに基づいて判断する（Ｓ２４）。新規エラーが発生した場合（Ｓ２４：Ｙｅｓ）、Ｓ１７に戻り、その新規エラーの省略形とエラータイトルとエラー表示メモリ３３１から読み出し、その読み出した省略形とエラータイトルとを追加した省略表示画面１６０を、ＬＣＤ１６に表示し、処理を繰り返す。
【００６３】
一方、新規エラーが発生しない場合（Ｓ２４：Ｎｏ）、次に、ユーザから符号が入力されたか否かを判断する（Ｓ２６）。ユーザから符号が入力されない場合（Ｓ２６：Ｎｏ）、次に、入力キー群１５のうち方向キーから左右方向のいずれかの入力があったか否かを判断する（Ｓ３０）。
【００６４】
方向キーから左右方向のいずれかの入力があった場合（Ｓ３０：Ｙｅｓ）、省略表示画面１６０における下段の表示情報領域１６０２（図４（ａ）参照）の表示を、その入力された方向にスクロールし（Ｓ３２）、Ｓ１７の処理に戻り、処理を繰り返す。
【００６５】
一方、方向キーにより左右方向のいずれの入力もなかった場合（Ｓ３０：Ｎｏ）、Ｓ３
２の処理をスキップしてＳ１７の処理に戻り、省略表示画面１６０の表示を継続する。
【００６６】
このようにして処理を繰り返すうちに、 ユーザから符号が入力された場合（Ｓ２６：Ｙｅｓ）、入力された符号に対応したエラータイトルと操作情報とを、エラー表示メモリ３３１から読み出し（Ｓ２８）、先に表示されていた画面を消去し、読み出したエラータイトルと操作情報とを含む詳細表示画面１６１をＬＣＤ１６に表示し（Ｓ２９）、Ｓ１２の処理に戻る。
【００６７】
そして、エラーが解除されず（Ｓ１２：Ｎｏ）、新規エラーが発生しない場合（Ｓ１４：Ｎｏ）、発生が検出されたエラーは１つではなく２以上であるので（Ｓ１６：Ｎｏ）、次に、入力キー群１５のうちクリアキーの入力があったか否かを判断する（Ｓ３４）。クリアキーの入力があった場合（Ｓ３４：Ｙｅｓ）、Ｓ１７に戻り、省略表示画面１８を表示する（Ｓ１８）。
【００６８】
一方、クリアキーの入力がなかった場合（Ｓ３４：Ｎｏ）、次に、ユーザから符号が入力されたか否かを判断する（Ｓ３６）。ユーザから符号が入力された場合（Ｓ３６：Ｙｅｓ）、入力された符号に対応したエラータイトルと操作情報とを、エラー表示メモリ３３１から読み出し（Ｓ２８）、先に表示されていた画面を消去し、読み出したエラータイトルと操作情報とを含む詳細表示画面１６１をＬＣＤ１６に表示し（Ｓ２９）、Ｓ１２の処理に戻る。
【００６９】
一方、クリアキーの入力がなく（Ｓ３４：Ｎｏ）、且つユーザから符号の入力もない場合（Ｓ３６：Ｎｏ）、次に、入力キー群１５のうち方向キーから左右方向のいずれかの入力があったか否かを判断する（Ｓ３８）。
【００７０】
方向キーから左右方向のいずれかの入力があった場合（Ｓ３８：Ｙｅｓ）、詳細表示画面１６１における下段の操作情報領域１６１２（図４（ｂ）参照）の表示を、その入力された方向にスクロールし（Ｓ４０）、Ｓ１２の処理に戻り、処理を繰り返す。
【００７１】
画面表示処理によれば、複数のエラーの発生時に表示される省略表示画面１６０における省略形の表示により、ユーザは発生した複数のエラーを視認することができる。そして、同時に、省略形の元であるエラータイトルを視認することができる。その結果、限られた表示領域であっても、ユーザは迅速に多くの情報を把握することができる。
【００７２】
また、ユーザから符号が入力されたことを条件として、入力された符号に対応する省略形の詳細表示画面１６１が表示されるので、ユーザは、迅速かつ容易に、エラーの内容およびそのエラーを解除するための操作情報を把握することができる。
【００７３】
また、詳細表示画面１６１が表示されているときにユーザがクリアキーを押下することを条件として、省略表示画面１６０を表示するので、発生している複数エラーの全てを迅速に再確認することができる。
【００７４】
次いで、図６および図７を参照して、第２実施形態について説明する。上記第１実施形態では、複数のエラーの発生が検出された場合、省略表示画面１６０が表示されるように画像形成装置１が構成されていた。これに対し、第２実施形態では、複数のエラーの発生が検出された場合、省略表示画面１６０か、または後述する簡易表示画面１６２のうちのいずれか一方がＬＣＤ１６に表示されるように、画像形成装置１が構成されている。
【００７５】
なお、第２実施形態における画像形成装置１の外観構成と電気的構成とは、第１実施形態における画像形成装置１と同一のものであるとして説明を行う。以下、第１実施形態と同一の部分には同一の符号を付してその説明を省略し、第１実施形態と異なる点について説明する。
【００７６】
図６（ａ）は、第２実施形態の画像形成装置１において表示される簡易表示画面１６２の一例を示す図である。図６（ａ）に示すように、簡易表示画面１６２は、発生したエラーの数（成立した条件の数の一例）が表示される上段のエラー数表示領域１６２１と、発生中のエラーに対応する省略形およびエラータイトルが表示される下段のタイトル表示領域１６２２とから構成される画面である。すなわち、複数のエラーの発生が検出された場合、エラータイトルに加えて、発生したエラーの数が表示される。
【００７７】
さらに、本実施形態では、簡易表示画面１６２がＬＣＤ１６に表示されているときに、入力キー群１５の方向キーから左右いずれかの方向が入力された場合、タイトル表示領域１６２２の表示のみを、その入力された方向にスクロールする。このようにすれば、ユーザは、まず、上段の領域を視認して発生中のエラーの総数を把握することができると共に、下段の領域を適宜スクロールすることにより、必要なエラータイトルを視認することができる。よって、多数のエラーが発生している場合でも、ユーザは迅速に発生中のエラーを確認することができる。
【００７８】
図６（ｂ）は、簡易表示画面１６２が表示された場合のＬＣＤ１６における画面の遷移を示す図である。まず、図６（ａ）を参照して説明した簡易表示画面１６２が表示される。
【００７９】
図６（ｂ）に示すように、簡易表示画面１６２下段のタイトル表示領域１６２２において、省略形には、それぞれ符号が対応付けて表示される。そして、図４（ｂ）を参照して説明したのと同様に、この符号がユーザから入力されることを条件として、その入力された符号に対応する省略形の詳細情報を、詳細表示画面１６１として表示する。なお、図６（ｂ）においては、符号「１」が入力された場合に表示される詳細表示画面１６１のみを例示しているが、他の符号が入力された場合は、その入力された符号に対応した省略表示画面１６１が表示される。さらに、いずれかの詳細表示画面１６１が表示されているときに、他の符号が入力されると、その他の符号に対応する省略形の詳細表示画面１６１に切り換える。
【００８０】
このようにすれば、ユーザは、簡易表示画面１６２から把握した符号を入力することで、迅速かつ容易に、必要な情報を表示領域に表示させることができる。
【００８１】
さらに、詳細表示画面１６１が表示されているときに、入力キー群１５のクリアキーが押下されることを条件として、ＬＣＤ１６における表示を、詳細表示画面１６１から簡易表示画面１６２へ切り換える。このようにすれば、発生しているエラーの全てを再度確認したくなったとき、或いは、目的とする詳細表示画面１６１を表示されるための符号を知りたい場合、迅速且つ容易に、簡易表示画面１６２へ戻ることができる。
【００８２】
なお、図６（ｂ）に示す画面の遷移が実行される間に、発生中のエラーのうち、いくつかが解消され、省略表示画面１６０の表示が可能になると、ＬＣＤ１６における表示は、簡易表示画面１６２から省略表示画面１６０（図４参照）へ移行するのであるが、詳細は図７を参照して説明する。
【００８３】
図７は、第２実施形態における画像形成装置１によって実行される画像表示処理を示すフローチャートである。この画像表示処理において、第１実施形態における画像形成装置１の画像表示処理（図５参照）と同じ点については、第１実施形態における画像表示処理と同一の符号を付して説明を省略または簡略化する。
【００８４】
図７に示すように、第２実施形態の画像形成装置１によって実行される画像表示処理では、エラーが存在し（Ｓ４：Ｙｅｓ）、且つエラーが２以上であると判断された場合（Ｓ６：Ｎｏ）、まず発生した各エラーの省略形と、エラータイトルとをエラー表示メモリ３３１から読み出す（Ｓ１７）。そして、上述した簡易表示画面１６２（図６参照）を表示するか否かを、発生したエラーの省略形３３１２を構成する文字数に基づいて判断する。具体的には、発生中のエラーの省略形を構成する文字の総数に、各省略形に付される符号の文字数を加算することにより、省略表示画面１６０の省略形領域１６０１に表示すべき文字数を演算する（Ｓ１７ａ）。
【００８５】
次に、演算した文字数が、省略形領域１６０１に表示可能な文字数以上か否かを判断する（Ｓ１７ｂ）。Ｓ１７ｂの判断が肯定される場合（Ｓ１７ｂ：Ｙｅｓ）、簡易表示画面１６２（図６参照）をＬＣＤ１６に表示する（Ｓ１９）。一方、Ｓ１７ｂの判断が否定される場合（Ｓ１７ｂ：Ｎｏ）、すなわち、簡易表示画面１６２を表示しないと判断された場合、Ｓ１７の処理で読み出した省略形とエラータイトルとを含む省略表示画面１６０（図４参照）をＬＣＤ１６に表示する（Ｓ１８）。
【００８６】
なお、省略形領域１６０１に表示される文字数は、検出されたエラーの数と相関関係にある。すなわち、検出されたエラーの数が多いほど、省略形領域１６０１に表示される文字数は大となる可能性が高い。よって、Ｓ１７ａ、Ｓ１７ｂの判断に代えて、例えば、検出されたエラーの数が所定値以上であれば、Ｓ１９の処理を実行して簡易表示画面１６２を表示し、検出されたエラーの数が所定値未満であれば、Ｓ１８の処理を実行して省略表示画面１６０を表示するように構成されてもよい。
【００８７】
次に、エラーが解除されたかを判断する（Ｓ２０）。そして、エラーが解除されたと判断された場合（Ｓ２０：Ｙｅｓ）、Ｓ４に戻り処理を繰り返す。そして、１のエラーの発生が検出された場合（Ｓ６：Ｙｅｓ）、詳細表示画面１６１を表示する（Ｓ１０）。一方、２以上のエラーの発生が検出されたが（Ｓ６：Ｎｏ）、エラーの解除により（すなわち、発生中のエラーが減少することにより）、Ｓ１７ｂの判断が否定されると（Ｓ１７ｂ：Ｎｏ）、それまで、ＬＣＤ１６に簡易表示画面１６２が表示されていた場合であっても、省略表示画面１６０へ表示が切り替えられる。
【００８８】
一方、エラーが解除されていない場合（Ｓ２０：Ｎｏ）、次に、新規エラーが発生したか否かを、トナー残量センサ２３、廃トナー検出センサ２４、記録用紙センサ２５から出力される信号などに基づいて判断する（Ｓ２４）。新規エラーが発生した場合（Ｓ２４：Ｙｅｓ）、Ｓ１７に戻り、処理を繰り返す。新規エラーの発生により（すなわち発生中のエラーが増加することにより）、Ｓ１７ｂの判断が肯定されると（Ｓ１７ｂ：Ｙｅｓ）、それまで、ＬＣＤ１６に省略表示画面１６０が表示されていた場合であっても、簡易表示画面１６２へ表示が切り替えられる。
【００８９】
一方、新規エラーが発生しない場合（Ｓ２４：Ｎｏ）、次に、ユーザから符号が入力されたか否かを判断する（Ｓ２６）。ユーザから符号が入力されない場合（Ｓ２６：Ｎｏ）、次に、入力キー群１５のうち方向キーから左右方向のいずれかの入力があったか否かを判断する（Ｓ３０）。
【００９０】
方向キーから左右方向のいずれかの入力があった場合（Ｓ３０：Ｙｅｓ）、省略表示画面１６０または簡易表示画面１６２における下段の領域の表示を、その入力された方向にスクロールし（Ｓ３２）、Ｓ１７の処理に戻り、処理を繰り返す。
【００９１】
このようにして処理を繰り返すうちに、 ユーザから符号が入力された場合（Ｓ２６：Ｙｅｓ）、入力された符号に対応したエラータイトルと操作情報とを、エラー表示メモリ３３１から読み出し（Ｓ２８）、先に表示されていた画面を消去し、読み出したエラータイトルと操作情報とを含む詳細表示画面１６１をＬＣＤ１６に表示し（Ｓ２９）、Ｓ１２の処理に戻る。
【００９２】
そして、エラーが解除されず（Ｓ１２：Ｎｏ）、Ｓ１４およびＳ１６の判断が共に否定されると（Ｓ１４，Ｓ１６：Ｎｏ）、次に、入力キー群１５のうちクリアキーの入力があったか否かを判断する（Ｓ３４）。クリアキーの入力があった場合（Ｓ３４：Ｙｅｓ）、Ｓ１７に戻り、省略表示画面１６０または簡易表示画面１６２を表示する（Ｓ１８，Ｓ１９）。
【００９３】
第２実施形態の画像形成装置１によれば、複数のエラーの発生が検出された場合、発生したエラーに対応するエラータイトルに加えて、発生中のエラーの数が、簡易表示画面１６２によりＬＣＤ１６に表示されるので、限られた表示領域であっても、ユーザは迅速に多くの情報を把握することができる。例えば、多数のエラーが一度に発生したために、発生したエラーのうち一部のエラーについてしかエラータイトルを表示できない場合であっても、ユーザは、発生中のエラーの数を見れば、その数に基づいて適切な措置を把握し、または、ＬＣＤ１６に表示されていないエラーを予測することができる場合があるからである。
【００９４】
また、複数のエラーの発生が検出された場合、複数のエラーに対応する複数の省略形を構成する文字数に基づいて、Ｓ１９の処理による簡易表示画面１６２の表示を実行するかが判断され、Ｓ１９の処理による表示を実行しないと判断された場合、Ｓ１８の処理により、省略表示画面１６０がＬＣＤ１６に表示されるので、省略形の文字数に適した形態の表示が実行される。例えば、発生したエラーの数が少なく、Ｓ１７ｂの判断が否定される場合には、簡易表示画面１６２に代えて、省略表示画面１６０が表示されるので、より多種類のエラーの省略形を表示することができる。その結果、より多くの情報をユーザに把握させることができる。
【００９５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９６】
例えば、上記実施形態では、「エラーの発生」が、特許請求の範囲に記載の「所定の条件の成立」に相当するものとして説明したが、「所定の条件の成立」はこれに限られない。
【００９７】
また、上記実施形態では、画像を形成する機能を有する画像形成装置１を表示装置の一例として説明したが、本発明は、情報を表示可能な表示領域を有する装置であれば、画像形成装置に限らず適用することができる。
【００９８】
また、上記実施形態では、ユーザ操作に基づき、表示をスクロールすることとしたが、画面表示処理（図６参照）におけるＳ１０，Ｓ２９の詳細表示画面１６１を表示する処理のとき、またはＳ１８の省略表示画面１６０を表示する処理のとき、またはＳ１９の簡易表示画面１６２を表示する処理のとき、下段の表示のみ自動的に（すなわちユーザ操作無しで）スクロールされるように構成しても良い。
【００９９】
また、上記実施形態では、省略表示画面１６０の表示情報領域１６０２の表示がスクロールする構成であるが、この表示情報領域１６０２に表示すべき複数の表示情報が、所定時間ごとに交互に切り替え表示されるようにしてもよい。同様に、簡易表示画面１６２のタイトル表示領域１６２２に表示すべきエラータイトルが、所定時間毎に交互に切り替え表示されるようにしても良い。
【０１００】
また、上記実施形態の省略形表示画面１６０は、省略形とエラータイトルとを表示するものであったが、これに加えて、発生中のエラーの数を表示するように構成しても良い。
【０１０１】
図８は、変形例の省略形表示画面１６０を示す図である。図８に示すように、省略形領域１６０１に発生中のエラーの数１６０３を表示するように構成しても良い。このようにすれば、ユーザは発生中のエラーの数を迅速に把握することができる。
【０１０２】
また、実施形態の省略形表示画面１６０（図４（ａ）参照）では、省略形領域１６０１において、省略形には符号を付して表示していたが、図８に示す変形例の省略形表示画面１６０のように、省略形領域１６０１においては、省略形に符号を付さず、表示情報領域１６０２に表示された省略形またはエラータイトルにのみ符号を付すように構成しても良い。このようにすれば、省略形領域１６０１に、より多くの文字を表示することができるので、多数のエラーの省略形を並べて表示することができる。
【０１０３】
また、上記実施形態では、省略表示画面１６０の下段である表示情報領域１６０２に、省略形とエラータイトルとが表示されていたが、表示情報領域１６０２には省略形を表示せず、エラータイトルのみを表示するように構成しても良い。
【０１０４】
また、上記実施形態では、簡易表示画面１６２において、発生中のエラーの数と、省略形とが表示されるものとして説明したが、これに代えて、例えば、簡易表示画面１６２には、発生中のエラーの総数とエラータイトルとが表示されるように構成しても良い。
【図面の簡単な説明】
【０１０５】
【図１】本発明の実施形態である画像形成装置を示した外観図である。
【図２】画像形成装置の主な電気的構成を示すブロック図である。
【図３】エラー表示メモリの構成を模式的に示す図である。
【図４】（ａ）は、複数のエラーの発生時にＬＣＤに表示される省略表示画面の一例を示す図であり、（ｂ）は、複数エラーの発生時においてＬＣＤに表示される画面の遷移を示す図である。
【図５】画面表示処理を示すフローチャートである。
【図６】（ａ）は、第２実施形態の画像形成装置において表示される簡易表示画面の一例を示す図であり、（ｂ）は、簡易表示画面が表示された場合のＬＣＤにおける画面の遷移を示す図である。
【図７】第２実施形態における画像形成装置によって実行される画像表示処理を示すフローチャートである。
【図８】変形例の省略形表示画面を示す図である。
【符号の説明】
【０１０６】
１                        画像形成装置（表示装置）
１５                      入力キー群（入力手段）
１６０１                  省略形領域
１６０２                  表示情報領域
３３１                    エラー表示メモリ（表示情報記憶手段、省略形記憶手段）
３３１１                  エラータイトル（表示情報）
Ｓ１７ｂ                  判断手段
Ｓ１８                    第１表示手段、第４表示手段
Ｓ１９                    第３表示手段
Ｓ３２                    スクロール手段
Ｓ２６，Ｓ２８，Ｓ２９    第２表示手段
Ｓ３６，Ｓ２８，Ｓ２９    表示切替手段
【図１】
2008269568.tif 000003
【図２】
2008269568.tif 000004
【図３】
2008269568.tif 000005
【図４】
2008269568.tif 000006
【図５】
2008269568.tif 000007
【図６】
2008269568.tif 000008
【図７】
2008269568.tif 000009
【図８】
2008269568.tif 000010